【事件の表示】
　特願２００６−１６６７２４「両面印刷が可能なプリンタ、プリンタ両面印刷の制御方法、イメージ形成装置、及びイメージ形成装置の制御方法」拒絶査定不服審判事件〔平成１９年　１月１８日出願公開、特開２００７−　　８１５９〕について、次のとおり審決する。
【結　論】
　本件審判の請求は、成り立たない。
【理　由】
１　手続の経緯
　本願は、平成１８年６月１５日（パリ条約による優先権主張２００５年６月２７日、韓国）に出願したものであって、平成２１年１１月３０日に手続補正がなされ、平成２２年６月３０日付けで拒絶査定がなされ、これに対し、同年１１月８日に拒絶査定に対する審判請求がなされたものである。
　当審においてこれを審理した結果、平成２３年９月９日付けで拒絶の理由を通知（いわゆる最後の拒絶理由通知）したところ、審判請求人は同年１２月１３日に意見書及び手続補正書を提出した。
　
２　平成２３年１２月１３日になされた手続補正についての補正却下の決定
［補正却下の決定の結論］
　平成２３年１２月１３日になされた手続補正（以下「本件補正」という。）を却下する。
［理由］
（１）補正後の本願発明
　本件補正は、特許請求の範囲についての補正を含んでおり、本件補正により、特許請求の範囲の請求項１は、
「印刷媒体に印刷データを印刷するための印刷ユニット、前記印刷媒体を印刷ユニットに提供するための印刷経路、前記印刷ユニットで印刷された印刷媒体を排出するための排出経路、前記一方の面が印刷された印刷媒体を前記印刷ユニットに再供給するための反転経路が形成された本体を有するプリンタであって、
　印刷データを一時保存するメモリと、
　両面印刷モードが設定された状態において、前記メモリに一時保存された前記印刷データのデータ量が予め設定された一定範囲内である場合、前記両面印刷モードを一時的に解除して、一般印刷モードで前記印刷データを印刷するように前記印刷ユニットを制御する制御部と、を備え、
　前記制御部は、前記メモリに保存された印刷データのデータ量に応じて判断された前記印刷データが１ページであるか否かを判断し、前記印刷データが１ページであると、前記一般印刷モードで前記印刷データを印刷し、前記印刷データが１ページを超過すると最終ページが奇数ページであるか偶数ページであるかを判断し、前記最終ページが奇数ページであると、前記最終ページを印刷する時に前記一般印刷モードで前記印刷データを印刷することを特徴とする、プリンタ。」
から
「印刷媒体に印刷データを印刷するための印刷ユニット、前記印刷媒体を印刷ユニットに提供するための印刷経路、前記印刷ユニットで印刷された印刷媒体を排出するための排出経路、前記一方の面が印刷された印刷媒体を前記印刷ユニットに再供給するための反転経路が形成された本体を有するプリンタであって、
　印刷データを一時保存するメモリと、
　両面印刷モードが設定された状態において、前記メモリに一時保存された前記印刷データのデータ量が予め設定された一定範囲内である場合、前記両面印刷モードを一時的に解除して、一般印刷モードで前記印刷データを印刷するように前記印刷ユニットを制御する制御部と、を備え、
　
両面印刷を行なう場合は、ユーザ端末又は前記プリンタで前記両面印刷モードが設定され、前記ユーザ端末又は前記プリンタから前記印刷データが提供されると、前記制御部は前記印刷データを前記メモリに一時保存し、前記印刷ユニット、ローラユニットのピックアップローラ、フィードローラを動作させ、
　前記制御部は、前記メモリに保存された印刷データのデータ量に応じて判断された前記印刷データが１ページであるか否かを判断し、前記印刷データが１ページであると、
　
前記両面印刷モードを一時的に解除し、
用紙の排出時に前記ローラユニットの排出ローラが反対方向に回転して前記用紙が前記反転経路へ引入れられることを防止し、
し、
　
前記制御部は、センサユニットと前記メモリから入力された情報に応じて、前記印刷ユニットの各構成要素と各ローラの作動を制御し、前記両面印刷モードの際、前記制御部は排紙センサからの検知結果によって用紙の一部分を除いた残り領域が前記排出ローラを通過したと判断すると、前記排出ローラを反対方向に回転させて用紙を前記反転経路に引入させる
と補正された。（下線は、審決で付した。以下同様。）
　上記補正は、補正前の請求項１に記載された発明を特定するために必要な事項である「制御部」について、上記下線のように制御内容をより具体的に限定したものであって、平成１８年法律第５５号改正附則第３条第１項によりなお従前の例によるとされる同法による改正前の特許法第１７条の２第４項第２号の特許請求の範囲の減縮を目的とするものに該当する。
　
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）引用刊行物
　当審の拒絶の理由に引用され、本願の優先権主張日前に頒布された特開平９−２４８９４２号公報（以下「刊行物１」という。）には、以下の記載が図とともにある。
　ア　【請求項１】  
入力トレイから記録部へ用紙を供給するための給紙路と、記録部から片面のみ印刷された用紙を取り込み表裏反転させ再び記録部へ供給する反転路とを含む用紙搬送系統を有する印刷エンジンを備えた両面印刷装置
前記用紙搬送系統が、反転させる用紙と印刷する用紙とを含む２枚以上の用紙を同時処理することができ、
両面印刷されるべき一連の複数頁の印刷要求を受信し、まず、用紙の第１面に印刷されるべき頁の印刷要求を選んで、前記用紙搬送系統で同時処理可能な最大枚数以下の所定回数だけ連続して印刷エンジンに転送し、次に、用紙の第２面に印刷されるべき頁の印刷要求を選んで、前記所定回数だけ連続して印刷エンジンに転送する印刷スケジュール制御装置を更に備えたことを特徴とする両面印刷装置。
　イ　【０００１】
【発明の属する技術分野】本発明は、用紙の両面に印刷が行なえる印刷装置に関し、特にスループットを高めるための改良に関する。
【０００２】
【従来の技術】特公平６−５３４２２号に開示された両面印刷装置は、入力トレイから１枚の用紙を取り込むと、まずその用紙の表面に奇数頁（例えば第１頁）のイメージを印刷し、次いで、その用紙を表裏反転させて中間トレイに排出する。この後、その中間トレイから同用紙を取り込み、その用紙の裏面に次の偶数頁（例えば第２頁）のイメージを印刷し、そして出力トレイへ排出する。その後、次の用紙を入力トレイから取り込み、同様の手順でその表裏面に後続の奇数・偶数頁（例えば第３・４頁）のイメージを印刷する。以下同様にして、後続の用紙の表裏面に後続の奇数・偶数頁を頁順に印刷していく。
【０００３】
【発明が解決しようとする課題】上記従来の印刷装置の一つの問題は、両面印刷のスループットが低いことである。すなわち、両面印刷では、用紙の表面への印刷が終わった後、裏面への印刷を開始するまでの間に、その用紙を反転させる作業が必ず必要である。そのため、印刷エンジンは、表面を印刷した後、その用紙が反転されて再び印刷位置に送られて来るまでの間、印刷動作をストップして待機する。この待機のために、両面印刷時のスループットは片面印刷時のそれよりも低くなる。
【０００４】従って、本発明の目的は、両面印刷時のスループットが片面印刷時に匹敵する程度に高い両面印刷装置を提供することにある。
【０００５】また、
従来の印刷装置の別の問題として、奇数頁で終了するジョブに対して両面印刷を行う場合、最後の１頁は片面のみしか印刷しないにもかかわらず、用紙は両面印刷用の搬送経路を通って排出されるために冗長な時間がかかったりする
【０００６】したがって、
本発明の別の目的は、奇数頁で終了するジョブに対して両面印刷を行う場合においても、最短時間で用紙を排出することを可能にする両面印刷装置を提供することにある
　ウ　【００１２】
【発明の実施の形態】図１は、
本発明の一実施形態に係る片面及び両面印刷が可能なページプリンタの印刷エンジンの機械部分の概略構成
両面印刷を行う場合
【００１３】
記録部１は感光ドラム１１及び
付属部品を有し
イメージバッファから読み出された各頁のイメージをトナーイメージの形で用紙に転写する
【００１４】両面とも未印刷の用紙２は入力トレイ３に積み置かれる。以下、入力トレイ３上で上を向いている用紙面を「表面」、下を向いている面を「裏面」と呼ぶ。
入力トレイ３上の用紙２は、最上位置のものから順に１枚づつ、ローラ４によって記録部１へ送り込まれる
記録部１の手前には紙センサ５が存在して、用紙の前端を検知する
この紙センサ５の検知信号に応答して記録部１が回転ドラム１１を起動して、送り込まれた用紙の裏面に、それに対応する偶数頁
のイメージをトナーイメージとして転写する
定着部６は、記録部１から用紙を受取り、その裏面上のトナーイメージを定着させる
【００１５】
排紙ローラ８は定着部６から出た用紙を掴み、出力トレイ９へ向けて用紙を送る
定着部６の出口には紙センサ７があり、この紙センサ７が用紙の後端を検出すると、排紙ローラ８は逆転して用紙をスイッチバックさせる
スイッチバックされた用紙は、
ガイドにより用紙反転路１０へ送り込まれる
用紙反転路１０は、その用紙を記録部１へ再び供給する
記録部１は、その用紙の表面に対し、それに対応する奇数頁
のトナーイメージを転写する
次に、定着部７がその表面のトナーイメージを定着させ、これにより用紙の両面の印刷が完了する
【００１６】
表面の印刷が終了した用紙が定着部６から出てくると、排紙ローラ８はその用紙を掴んで出力トレイ９上へ排出する
【００１７】以上は両面印刷の場合である。
片面印刷の場合は、入力トレイ３から用紙２が連続的に取り込まれ、記録部１は各頁のイメージを頁順に各用紙の片面に印刷し、そして、定着部６から出てきた用紙は出力トレイ９へフェースダウンの姿勢で排出される
　エ　【００２２】図３は、この
ページプリンタの制御回路
【００２３】
制御回路は、バス２０で相互接続されたＣＰＵ２１、ＲＯＭ２２、ＲＡＭ２３、ホストインタフェース回路２４、およびエンジンインタフェース回路２５を有する
ＣＰＵ２１は、外部のホストコンピュータ３０からホストインタフェース回路２２を通じて印刷要求データを受信し
ＲＯＭ２２には、ＣＰＵ２１の動作プログラム
などが記憶されている
ＲＡＭ２３は
ビットイメージデータを一時蓄積するためのイメージバッファ
などを提供する
　オ　【００６８】図２３は、印刷ジョブを両面印刷で処理する場合に、特に最終頁を必要に応じて片面印刷に設定するようにした処理の流れである。
【００６９】この両面印刷装置では、
最後の１頁をパネルスイッチやI/Fタイムアウトにより強制排紙させる場合に、ジョブを確認した上でそのジョブの頁数が奇数頁か
偶数頁かを判断し、奇数頁であり
かつ両面印刷であれば
ジョブの最終頁の印刷形態を片面印刷に切り換えるように制御する
一方、ジョブの頁数が隅数頁
であったり、あるいは片面印刷であったりする場合は何も行わない。これにより、最後の１頁を強制排紙させる際に両面印刷用の搬送経路に用紙を通すことが無くなるため、最速の処理が可能になり、スループットの向上が図れる
　
　上記記載及び図面を含む刊行物１全体の記載から、刊行物１には、以下の発明が記載されていると認められる。
「入力トレイから記録部へ用紙を供給するための給紙路と、記録部から片面のみ印刷された用紙を取り込み表裏反転させ再び記録部へ供給する反転路とを含む用紙搬送系統を有する印刷エンジンと、バスで相互接続されたＣＰＵ、ＲＯＭ、ＲＡＭ、ホストインタフェース回路、およびエンジンインタフェース回路を有する制御回路と、感光ドラム及び付属部品を有し、前記イメージバッファから読み出された各頁のイメージをトナーイメージの形で用紙に転写する前記記録部とを備え、片面及び両面印刷が可能なページプリンタにおいて、
　前記制御回路の前記ＣＰＵは、外部のホストコンピュータからホストインタフェース回路を通じて印刷要求データを受信し、前記ＲＯＭには、ＣＰＵの動作プログラムなどが記憶されており、前記ＲＡＭは、ビットイメージデータを一時蓄積するためのイメージバッファなどを提供するものであって、
　両面印刷を行う場合、入力トレイ上の用紙は、最上位置のものから順に１枚づつ、ローラ４によって記録部へ送り込まれ、記録部の手前には紙センサ５が存在して、用紙の前端を検知し、この紙センサ５の検知信号に応答して記録部が回転ドラムを起動して、送り込まれた用紙の裏面に、それに対応する偶数頁のイメージをトナーイメージとして転写し、定着部は、記録部から用紙を受取り、その裏面上のトナーイメージを定着させ、排紙ローラ８は定着部から出た用紙を掴み、出力トレイへ向けて用紙を送り、定着部の出口には紙センサ７があり、この紙センサ７が用紙の後端を検出すると、排紙ローラ８は逆転して用紙をスイッチバックさせ、スイッチバックされた用紙は、ガイドにより用紙反転路へ送り込まれ、用紙反転路は、その用紙を記録部へ再び供給し、記録部は、その用紙の表面に対し、それに対応する奇数頁のトナーイメージを転写し、次に、定着部がその表面のトナーイメージを定着させ、これにより用紙の両面の印刷が完了し、表面の印刷が終了した用紙が定着部から出てくると、排紙ローラ８はその用紙を掴んで出力トレイ上へ排出するものであり、
　片面印刷の場合は、入力トレイから用紙が連続的に取り込まれ、記録部は各頁のイメージを頁順に各用紙の片面に印刷し、そして、定着部から出てきた用紙は出力トレイへフェースダウンの姿勢で排出されるものであり、
　奇数頁で終了するジョブに対して両面印刷を行う場合、最後の１頁は片面のみしか印刷しないにもかかわらず、用紙は両面印刷用の搬送経路を通って排出されるために冗長な時間がかかったりするという問題があったので、
　奇数頁で終了するジョブに対して両面印刷を行う場合においても、最短時間で用紙を排出することを可能にすることを目的とし、
　最後の１頁をパネルスイッチやI/Fタイムアウトにより強制排紙させる場合に、ジョブを確認した上でそのジョブの頁数が奇数頁か偶数頁かを判断し、奇数頁でありかつ両面印刷であれば、ジョブの最終頁の印刷形態を片面印刷に切り換えるように制御する一方、ジョブの頁数が隅数頁であったり、あるいは片面印刷であったりする場合は何も行わないことにより、最後の１頁を強制排紙させる際に両面印刷用の搬送経路に用紙を通すことが無くなるため、最速の処理が可能になり、スループットの向上が図れるページプリンタ。」（以下「引用発明」という。）
　
（３）対比
　ア　本願補正発明と引用発明とを比較すると、引用発明の「用紙」、「記録部」、「記録部へ用紙を供給するための給紙路」、「記録部から片面のみ印刷された用紙を取り込み表裏反転させ再び記録部へ供給する反転路」、「『ビットイメージデータ』及び『ジョブ』」、「ビットイメージデータを一時蓄積するためのイメージバッファ」、「『両面印刷』の印刷形態」、「『片面印刷』の印刷形態」、「制御回路」、「外部のホストコンピュータ」、「『ローラ４』及び『排紙ローラ８』」、「排紙ローラ８」、「『紙センサ５』及び『紙センサ７』」、「感光ドラム及び付属部品」、「『ローラ４』や『排紙ローラ８』」、「紙センサ７」及び「ページプリンタ」は、それぞれ本願補正発明の「『印刷媒体』及び『用紙』」、「印刷ユニット」、「印刷媒体を印刷ユニットに提供するための印刷経路」、「一方の面が印刷された印刷媒体を印刷ユニットに再供給するための反転経路」、「印刷データ」、「印刷データを一時保存するメモリ」、「両面印刷モード」、「一般印刷モード」、「制御部」、「ユーザ端末」、「ローラユニット」、「排出ローラ」、「センサユニット」、「印刷ユニットの各構成要素」、「各ローラ」、「排紙センサ」及び「プリンタ」に相当する。
　イ　引用発明において、イメージバッファは、「印刷データ（ビットイメージデータ）」を一時蓄積するためのものであり、「印刷ユニット（記録部）」は、前記イメージバッファから読み出された各頁のイメージをトナーイメージの形で「記録媒体（用紙）」に転写するものであるから、引用発明の「印刷ユニット（記録部）」と本願補正発明の「印刷ユニット」とは、「印刷媒体に印刷データを印刷するための」ものである点で一致する。
　ウ　引用発明の用紙搬送系統が、「印刷ユニット（記録部）」で印刷された「印刷媒体（用紙）」をページプリンタの外部へ排出するための排紙路を含むことは明らかであり、この排紙路は、本願補正発明の「印刷ユニットで印刷された印刷媒体を排出するための排出経路」に相当する。
　エ　上記アないしウから、引用発明の「プリンタ（ページプリンタ）」と本願補正発明の「プリンタ」とは、「印刷媒体に印刷データを印刷するための印刷ユニット、前記印刷媒体を印刷ユニットに提供するための印刷経路、前記印刷ユニットで印刷された印刷媒体を排出するための排出経路、前記一方の面が印刷された印刷媒体を前記印刷ユニットに再供給するための反転経路が形成された本体を有する」ものである点で一致するといえる。
　オ　引用発明において、「制御部（制御回路）」は、最後の１頁をパネルスイッチやＩ／Ｆタイムアウトにより強制排紙させる場合に、「印刷データ（ジョブ）」を確認した上でその「印刷データ」の頁数が奇数頁か偶数頁かを判断し、奇数頁であり、かつ「両面印刷」であれば、ジョブの最終頁の「モード（印刷形態）」を「一般印刷（片面印刷）」に切り換えるように制御するであるから、引用発明の「制御部」と、本願補正発明の「両面印刷モードが設定された状態において、前記メモリに一時保存された前記印刷データのデータ量が予め設定された一定範囲内である場合、前記両面印刷モードを一時的に解除して、一般印刷モードで前記印刷データを印刷するように前記印刷ユニットを制御する制御部」とは、「両面印刷モードが設定された状態において、所定の場合、前記両面印刷モードを一時的に解除して、一般印刷モードで前記印刷データを印刷するように前記印刷ユニットを制御する」ものである点で一致する。
　カ　引用発明の「制御部（制御回路）」のＣＰＵは、「ユーザ端末（外部のホストコンピュータ）」からホストインタフェース回路を通じて印刷要求データを受信し、ＲＡＭは、「印刷データを一時保存するメモリ（ビットイメージデータを一時蓄積するためのイメージバッファ）」などを提供するものであり、「ユーザ端末（外部のホストコンピュータ）」で両面印刷が設定されることは当業者に自明であるから、引用発明の「制御部（制御回路）」と本願補正発明の「両面印刷を行なう場合は、ユーザ端末又は前記プリンタで前記両面印刷モードが設定され、前記ユーザ端末又は前記プリンタから前記印刷データが提供されると」「前記印刷データを前記メモリに一時保存」する「制御部」とは、「両面印刷を行なう場合は、ユーザ端末で両面印刷モードが設定され、前記ユーザ端末から印刷データが提供されると」「前記印刷データをメモリに一時保存」するものである点で一致する。
　キ　本願明細書の段落【０００３】には「ピックアップローラ１２は、給紙カセット１１で用紙をピックアップし、フィードローラ１３はピックアップローラ１２によりピックアップされた用紙を印刷ユニットにフィーディングする。」と記載されているから、本願補正発明の「ピックアップローラ」及び「フィードローラ」は、それぞれ、用紙をピックアップする機能を有するもの及び印刷ユニットにフィーディングする機能を有するものと認められる。
　引用発明の「ローラ４」は、入力トレイ上の用紙を最上位置のものから順に１枚づつ「印刷ユニット（記録部）」へ送り込む機能を有しているから、本願補正発明の「ピックアップローラ」に相当するとともに「フィードローラ」に相当する。
　引用発明において、「制御部（制御回路）」が「印刷ユニット（記録部）」や「ローラユニット（『ローラ４』及び『排紙ローラ８』）の「ピックアップローラ、フィードローラ（ローラ４）」それぞれの機能を発揮するように動作させることは明らかであるから、引用発明の「制御部（制御回路）」と本願補正発明の「前記印刷ユニット、ローラユニットのピックアップローラ、フィードローラを動作させ」る「制御部」とは、「印刷ユニット、ローラユニットのピックアップローラ、フィードローラを動作させ」る点で一致する。
　ク　引用発明において、「制御部（制御回路）」は、「印刷データ」の頁数が奇数頁か偶数頁かを判断し、奇数頁であり、かつ「両面印刷」であれば、ジョブの最終頁の「モード（印刷形態）」を「一般印刷（片面印刷）」に切り換えるように制御する一方、「印刷データ」の頁数が偶数頁であったり、あるいは「一般印刷」であったりする場合は何も行わないものであり、かつ、「制御部」が「印刷ユニット（記録部）」や「ローラユニット（『ローラ４』及び『排紙ローラ８』）」を切り換え後の「一般印刷」に応じた印刷を行うように、用紙の排出時に「ローラユニット（『ローラ４』及び『排紙ローラ８』）」の「排出ローラ（排紙ローラ８）」が反対方向に回転して前記用紙が「反転経路（録部から片面のみ印刷された用紙を取り込み表裏反転させ再び記録部へ供給する反転路）」へ引入れられることを防止するように制御することは明らかであるから、引用発明の「制御部（制御回路）」と本願補正発明の「前記メモリに保存された印刷データのデータ量に応じて判断された前記印刷データが１ページであるか否かを判断し、前記印刷データが１ページであると、前記両面印刷モードを一時的に解除し、前記一般印刷モードで前記印刷データを印刷し、用紙の排出時に前記ローラユニットの排出ローラが反対方向に回転して前記用紙が前記反転経路へ引入れられることを防止し、前記印刷データが１ページを超過すると最終ページが奇数ページであるか偶数ページであるかを判断し、前記最終ページが奇数ページであると、前記最終ページを印刷する時に前記一般印刷モードで前記印刷データを印刷」する「制御部」とは、「所定の場合、両面印刷モードを一時的に解除し、一般印刷モードで印刷データを印刷し、用紙の排出時にローラユニットの排出ローラが反対方向に回転して前記用紙が反転経路へ引入れられることを防止し、最終ページが奇数ページであるか偶数ページであるかを判断し、前記最終ページが奇数ページであると、前記最終ページを印刷する時に前記一般印刷モードで前記印刷データを印刷」するものである点でも一致するといえる。
　ケ　引用発明において、両面印刷を行う場合、入力トレイ上の用紙は、最上位置のものから順に１枚づつ、「ピックアップローラ、フィードローラ（ローラ４）」によって「印刷ユニット（記録部）」へ送り込まれ、「印刷ユニット（記録部）」の手前には紙センサ５が存在して、用紙の前端を検知し、この紙センサ５の検知信号に応答して記録部が回転ドラムを起動して、送り込まれた用紙の裏面に、それに対応する偶数頁のイメージをトナーイメージとして転写し、「排出ローラ（排紙ローラ８）」は定着部から出た用紙を掴み、出力トレイへ向けて用紙を送り、定着部の出口には「排紙センサ（紙センサ７）」があり、この「排紙センサ（紙センサ７）」が用紙の後端を検出すると、「排出ローラ（排紙ローラ８）」は逆転して用紙をスイッチバックさせ、スイッチバックされた用紙は、ガイドにより用紙反転路へ送り込まれるものであり、それらが「制御部（制御回路）」で制御されていることは当業者に自明であり、かつ、「制御部（制御回路）」は、「印刷データ」の頁数が奇数頁か偶数頁かを判断しているものであるから、引用発明の「制御部（制御回路）」と本願補正発明の「センサユニットと前記メモリから入力された情報に応じて、前記印刷ユニットの各構成要素と各ローラの作動を制御し、前記両面印刷モードの際」、「排紙センサからの検知結果によって用紙の一部分を除いた残り領域が前記排出ローラを通過したと判断すると、前記排出ローラを反対方向に回転させて用紙を前記反転経路に引入させる」「制御部」とは、「センサユニットとメモリから入力された情報に応じて、印刷ユニットの各構成要素と各ローラの作動を制御し、両面印刷モードの際、排紙センサからの検知結果によって用紙の一部分を除いた残り領域が排出ローラを通過したと判断すると、前記排出ローラを反対方向に回転させて用紙を反転経路に引入させる」ものである点でも一致するといえる。
　コ　上記アないしケから、本願補正発明と引用発明は、
「印刷媒体に印刷データを印刷するための印刷ユニット、前記印刷媒体を印刷ユニットに提供するための印刷経路、前記印刷ユニットで印刷された印刷媒体を排出するための排出経路、前記一方の面が印刷された印刷媒体を前記印刷ユニットに再供給するための反転経路が形成された本体を有するプリンタであって、
　印刷データを一時保存するメモリと、
　両面印刷モードが設定された状態において、所定の場合、前記両面印刷モードを一時的に解除して、一般印刷モードで前記印刷データを印刷するように前記印刷ユニットを制御する制御部と、を備え、
　両面印刷を行なう場合は、ユーザ端末で前記両面印刷モードが設定され、前記ユーザ端末から前記印刷データが提供されると、前記制御部は前記印刷データを前記メモリに一時保存し、前記印刷ユニット、ローラユニットのピックアップローラ、フィードローラを動作させ、　
　前記制御部は、所定の場合、
　前記両面印刷モードを一時的に解除し、前記一般印刷モードで前記印刷データを印刷し、用紙の排出時に前記ローラユニットの排出ローラが反対方向に回転して前記用紙が前記反転経路へ引入れられることを防止し、最終ページが奇数ページであるか偶数ページであるかを判断し、前記最終ページが奇数ページであると、前記最終ページを印刷する時に前記一般印刷モードで前記印刷データを印刷し、　
　前記制御部は、センサユニットと前記メモリから入力された情報に応じて、前記印刷ユニットの各構成要素と各ローラの作動を制御し、前記両面印刷モードの際、前記制御部は排紙センサからの検知結果によって用紙の一部分を除いた残り領域が前記排出ローラを通過したと判断すると、前記排出ローラを反対方向に回転させて用紙を前記反転経路に引入させるプリンタ。」
の点で一致し、以下の点で相違している。
［相違点１］制御部が、本願補正発明では「メモリに一時保存された前記印刷データのデータ量が予め設定された一定範囲内である場合」、すなわち、「前記メモリに保存された印刷データのデータ量に応じて判断された前記印刷データが１ページであるか否かを判断し、前記印刷データが１ページである」場合に、前記両面印刷モードを一時的に解除して、一般印刷モードで前記印刷データを印刷するように前記印刷ユニットを制御し、「前記印刷データが１ページを超過する」場合に、前記印刷データの最終ページが奇数ページであるか偶数ページであるかの判断を行うのに対して、引用発明では、ジョブの頁数が奇数頁か偶数頁かは判断するが、１頁かどうかは判断しない点。
［相違点２］両面印刷モードの設定及び印刷データの提供が、本願補正発明では「ユーザ端末又は前記プリンタ」で設定及び提供がなされるのに対し、引用発明は、ユーザ端末（外部のホストコンピュータ）から設定及び提供されるものの、プリンタから設定及び提供されるか否か明らかでない点。
　
（４）判断
　上記相違点１について検討する。
　ア　ビットマップメモリに展開されたラスタデータから全ページを計数するページカウンタを設けた印刷装置は、本願の優先日前に周知である（以下「周知技術１」という。例．特開平８−６３３０９号公報【００２１】参照、特開平１０−２０７６４４号公報【０００５】参照。）。 
　イ　両面印刷が選択されていた場合に、まず、メモリ内の印刷データが１頁であるか否か判断し、１頁であると判断されたときは片面印刷を行う印刷装置は、本願の優先日前に周知である（以下「周知技術２」という。例．特開平６−１６９３６８号公報【００１９】及び図１参照、特開２０００−９４８０３号公報【００５８】、【００６７】、【００６８】及び図３参照。）。
 　ウ　引用発明の「ビットイメージデータを一時蓄積するためのイメージバッファ」が「ラスタデータが展開されるビットマップメモリ」であることは当業者に自明であることと、上記ア及びイとから、引用発明において、イメージバッファに展開されたラスタデータから全ページを計数するページカウンタを設け、このページカウンタによりジョブの頁数を印刷形態変更手段が認識できるようにして、パネルスイッチやＩ／Ｆタイムアウトによる最後の１頁の強制排紙を不要とするとともに、前記印刷形態変更手段を、ジョブに対して両面印刷を行う場合に、まず、前記ページカウンタにより認識した前記ジョブの頁数が１頁であるか否かを判断し、１頁であると判断したときは前記ジョブの印刷形態を両面印刷から片面印刷に切り替え、１頁でないと判断したときは前記ジョブの頁数が奇数頁か偶数頁かを判断するものとし、上記相違点１に係る本願補正発明の構成となすことは、当業者が、周知技術１及び周知技術２に基づいて容易になし得た程度のことである。 
　よって、本願補正発明の上記相違点１に係る構成となすことは、当業者が容易になし得る程度のことである。
　
　上記相違点２について検討する。
　本願明細書段落【００４０】には以下のように記載されている。
「係る構成によるプリンタにおいて、両面印刷を行う過程について、図３に基づいて説明すると次の通りである。先ず、
ユーザ端末またはプリンタで両面印刷が設定される
ユーザ端末から印刷データが提供され
　上記記載から、両面印刷の設定に関しては、ユーザ端末またはプリンタで設定する旨把握でき、印刷データの提供に関しては、ユーザ端末から提供する旨把握できるが、プリンタから提供する旨の記載はない。
　本願明細書段落【００２３】、【００３２】及び【００３５】にも、ユーザ端末から印刷データを提供する旨の記載があるが、プリンタから提供する旨の記載はない。
　本願補正発明の「プリンタから印刷データが提供される」ことがどのようなことを意味しているか発明の詳細な説明の項を参酌しても不明確であるが、補正後の請求項１の記載は「・・・前記ユーザ端末又は前記プリンタから前記印刷データが提供されると・・・」と選択的記載であるから、前記記載を一方の選択肢である「・・・前記ユーザ端末から前記印刷データが提供されると・・・」と解すると、印刷データの提供に関しては、引用発明と相違しない。
　「プリンタから印刷データが提供される」構成が自明であるとすると、引用発明に該自明の構成を採用して、ユーザ端末又はプリンタから印刷データを提供するようにすることは当業者が容易になし得る程度のことである。
　引用発明は「最後の１頁をパネルスイッチやI/Fタイムアウトにより強制排紙させる」もの、すなわち、パネルスイッチを有するものである。プリンタにおいて、パネルスイッチで両面印刷モードの設定を行うことは例示するまでもなく周知技術であるから、引用発明に該周知技術を適用し、上記相違点２に係る本願補正発明の構成となすことは、当業者が容易になし得た程度のことである。 
　
　なお、「ローラユニットのピックアップローラ、フィードローラを動作させ」る点について、一致点としたが、本願補正発明の「ピックアップローラ」と「フィードローラ」がそれぞれ異なるローラであると解したとしても、用紙をピックアップする機能を有するローラと印刷ユニットにフィーディングする機能を有するローラをそれぞれ異なるローラとすることは、例示するまでもなく周知技術であるから、引用発明に該周知技術を適用して、「ピックアップローラ」とそれと異なる「フィードローラ」を設け、それらを動作させることは、当業者が容易になし得る程度のことである。
　
　以上のとおりであるから、本願補正発明の相違点１及び２に係る構成は、刊行物１に記載された発明及び周知技術に基づいて当業者が容易に想到することができたものであり、それにより得られる効果も当業者が予測できる範囲のものである。
　
　したがって、本願補正発明は、刊行物１に記載された発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３　本願発明について
　平成２３年１２月１３日付けの手続補正は上記のとおり却下されたので、本願の請求項１ないし１４に係る発明は、平成２１年１１月３０日付け手続補正後の特許請求の範囲、明細書及び図面からみて、その特許請求の範囲の請求項１ないし１４に記載された事項により特定されるとおりのものと認められるところ、その請求項１に係る発明（以下「本願発明」という。）は、次のとおりである。
　
「印刷媒体に印刷データを印刷するための印刷ユニット、前記印刷媒体を印刷ユニットに提供するための印刷経路、前記印刷ユニットで印刷された印刷媒体を排出するための排出経路、前記一方の面が印刷された印刷媒体を前記印刷ユニットに再供給するための反転経路が形成された本体を有するプリンタであって、
　印刷データを一時保存するメモリと、
　両面印刷モードが設定された状態において、前記メモリに一時保存された前記印刷データのデータ量が予め設定された一定範囲内である場合、前記両面印刷モードを一時的に解除して、一般印刷モードで前記印刷データを印刷するように前記印刷ユニットを制御する制御部と、を備え、
　前記制御部は、前記メモリに保存された印刷データのデータ量に応じて判断された前記印刷データが１ページであるか否かを判断し、前記印刷データが１ページであると、前記一般印刷モードで前記印刷データを印刷し、前記印刷データが１ページを超過すると最終ページが奇数ページであるか偶数ページであるかを判断し、前記最終ページが奇数ページであると、前記最終ページを印刷する時に前記一般印刷モードで前記印刷データを印刷することを特徴とする、プリンタ。」
　
（１）引用刊行物
　原査定の拒絶の理由に引用された刊行物１及びその記載事項は、前記「２（２）」に記載したとおりである。
　
（２）対比・判断
　本願発明は、前記２で検討した本願補正発明から「制御部」についての限定事項の一部を省いたものである。
　そうすると、本願発明の発明を特定する事項を全て含み、さらなる限定を付加したものに相当する本願補正発明が、前記「２（４）」に記載したとおり、刊行物１に記載された発明及び周知技術に基づいて、当業者が容易に発明をすることができたものであるから、本願発明も、同様の理由により、刊行物１に記載された発明及び周知技術に基づいて、当業者が容易に発明をすることができたものである。
　
（３）むすび
　以上のとおり、本願発明は、刊行物１に記載された発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。